(57)【要約】      （修正有）【課題】簡易に設置でき、サインマークが明確に認識可能であることのみならず、設置場所の道をも明確に認識可能とするサインマーク表示灯を提供する。【解決手段】本サインマーク表示灯は、屋外の人が歩く道の端に設置され、サイン板３に付したサインマークＭの発光表示を行うものである。サインマーク表示灯は、サイン板３と、サイン板３のサインマークＭを発光させるサインマーク用光源と、さらに、下方向に光を照射する足元照明用光源５１とを、同一の取付板６に設けた一体型の光源ユニットを備える。光源ユニットは、足元照明用光源５１からの照射光が本サインマーク表示灯の設置場所での道の路面を照らす構成としている。【選択図】図２
0003193713.tif 000002
【実用新案登録請求の範囲】
【請求項１】
屋外の人が歩く道の端に設置され、サイン板に付したサインマークの発光表示を行うサインマーク表示灯であって、
サイン板と、サイン板のサインマークを発光させるサインマーク用光源と、さらに、下方向に光を照射する足元照明用光源とを、同一の取付板に設けた一体型の光源ユニットとし、
前記光源ユニットは、前記足元照明用光源からの照射光が本サインマーク表示灯の設置場所での道の路面を照らす構成としたサインマーク表示灯。
【請求項２】
請求項１に記載のサインマーク表示灯において、
前記足元照明用光源は、取付板の上面側に取り付けられた足元照明用光源ボックス内に設けられ、
前記足元照明用光源ボックスは、取付板への取付け面となる底面に足元照明用光源の光を出射する出射口が開口形成され、
前記取付板は、前記足元照明用光源ボックスの出射口からの出射光が透過するように透明又は半透明の板で形成されて下面を足元照明用光源からの光の照射面とし、足元照明用光源からの照射光が本サインマーク表示灯の設置場所での道の路面を照らすように取付板の下面が前方斜め下方向を向くように傾けて設置されるサインマーク表示灯。
【請求項３】
請求項１又は２に記載のサインマーク表示灯において、
前記足元照明用光源は、路面を照らす出射光の向きを左右又は前後の方向に角度調整可能に設けられているサインマーク表示灯。
【請求項４】
請求項１〜３のいずれか１項に記載のサインマーク表示灯において、
前記サインマーク用光源は、傾けて設置する取付板に対して鉛直方向に延びるように斜めに取り付けられたサインマーク用光源ボックス内に設けられ、
前記サインマーク用光源ボックスは、サインマーク用光源の光を出射する出射口が開口形成され、
前記サイン板は、サインマークが付された導光板により形成されて端面から入射されたサインマーク用光源の光によってサインマークが発光する構成を有し、サインマーク用光源ボックスの出射口にサイン板の端面を対向させてサインマーク用光源ボックスに交換可能に取り付けられているサインマーク表示灯。
【請求項５】
請求項１〜３のいずれか１項に記載のサインマーク表示灯において、
前記サインマーク用光源は、取付板に取り付けられたサインマーク用光源ボックス内に設けられ、
前記サインマーク用光源ボックスは、サインマーク用光源の光を出射する出射口が開口形成され、
前記サイン板は、サインマーク用光源ボックスの出射口からの出射光の照射によってサインマークが発光する構成を有し、サインマーク用光源ボックス又は取付板に交換可能に取り付けられているサインマーク表示灯。
【請求項６】
請求項１〜５のいずれか１項に記載のサインマーク表示灯において、
前記光源ユニットとは別に、サインマーク用光源と足元照明用光源とに給電する電源装置として、太陽電池と、太陽電池で発電した電力を充電する蓄電体とを備えているサインマーク表示灯。
【請求項７】
請求項１〜６のいずれか１項に記載のサインマーク表示灯において、
前記光源ユニットは、さらに、垂直ポールや横長ビームに設置できるように、垂直ポール用止め具と、横長ビーム用止め具とを備えているサインマーク表示灯。
【請求項８】
請求項１〜７のいずれか１項に記載のサインマーク表示灯において、
前記光源ユニットにおけるサイン板の高さを変更できる構成とするサインマーク表示灯。
【請求項９】
請求項１〜８のいずれか１項に記載のサインマーク表示灯は、
避難場所へ誘導するように避難路に沿って適所間隔に設置されるサインマーク表示灯。
【考案の詳細な説明】
【技術分野】
【０００１】
本考案は、屋外の人が歩く道の端に設置され、避難誘導表示、防犯等のサインマークを発光表示するサインマーク表示灯に関する。
【背景技術】
【０００２】
従来、屋外設置の避難誘導灯として、例えば、支柱に設置された表示部を通常時は照明灯として動作させ非常時は光源を切り換えてサインマークを発光させる避難誘導灯として動作させるもの（特許文献１）や、夜間に地震が発生すると支柱に設置された表示部の避難誘導表示を点灯させるもの（特許文献２）等が知られていた。
【先行技術文献】
【特許文献】
【０００３】
【特許文献１】特開平９−８２１１８号公報
【特許文献２】特開平８−３１５２６１号公報
【考案の概要】
【考案が解決しようとする課題】
【０００４】
上記従来の避難誘導灯では、災害等の非常時に避難誘導表示を明るく発光させるものに過ぎなかったため、避難誘導灯の下は暗く、その周辺の路面が見えないか見え難い状態であった。例えば、夜間等の暗いときに地震、津波、火災等の災害が発生した場合や火災の煙が漂っている場合は、避難路となる道を認識させることが困難であり、特に避難者は混乱状態にあって冷静な判断を欠くことから、進路となる道の状態がはっきり分からない状況では迅速に避難場所へ向かわせることができない場合があった。
【０００５】
一方、既設の街路灯において上記避難誘導灯を設置することも考え得る。しかし、街路灯は、必ずしも避難路となる道にも設置されているとは限らず、また普段あまり人が通らない場所にまで街路灯とともに避難誘導灯を設置することは現実的には困難である。
【０００６】
本考案の目的は、簡易に設置でき、サインマークが明確に認識可能であることのみならず、設置場所の道をも明確に認識可能とするサインマーク表示灯を提供することにある。
【課題を解決するための手段】
【０００７】
本考案に係るサインマーク表示灯は、
屋外の人が歩く道の端に設置され、サイン板に付したサインマークの発光表示を行うサインマーク表示灯であって、
サイン板と、サイン板のサインマークを発光させるサインマーク用光源と、さらに、下方向に光を照射する足元照明用光源とを、同一の取付板に設けた一体型の光源ユニットとし、
前記光源ユニットは、前記足元照明用光源からの照射光が本サインマーク表示灯の設置場所での道の路面を照らす構成としたものである。
【０００８】
前記足元照明用光源は、取付板の上面側に取り付けられた足元照明用光源ボックス内に設けられ、
前記足元照明用光源ボックスは、取付板への取付け面となる底面に足元照明用光源の光を出射する出射口が開口形成され、
前記取付板は、前記足元照明用光源ボックスの出射口からの出射光が透過するように透明又は半透明の板で形成されて下面を足元照明用光源からの光の照射面とし、足元照明用光源からの照射光が本サインマーク表示灯の設置場所での道の路面を照らすように取付板の下面が前方斜め下方向を向くように傾けて設置されることが望ましい。
【０００９】
前記足元照明用光源は、路面を照らす出射光の向きを左右又は前後の方向に角度調整可能に設けることができる。
【００１０】
前記サインマーク用光源は、傾けて設置する取付板に対して鉛直方向に延びるように斜めに取り付けられたサインマーク用光源ボックス内に設けられ、
前記サインマーク用光源ボックスは、サインマーク用光源の光を出射する出射口が開口形成され、
前記サイン板は、サインマークが付された導光板により形成されて端面から入射されたサインマーク用光源の光によってサインマークが発光する構成を有し、サインマーク用光源ボックスの出射口にサイン板の端面を対向させてサインマーク用光源ボックスに交換可能に取り付けられていることが望ましい。
【００１１】
また、前記サインマーク用光源は、取付板に取り付けられたサインマーク用光源ボックス内に設けられ、
前記サインマーク用光源ボックスは、サインマーク用光源の光を出射する出射口が開口形成され、
前記サイン板は、サインマーク用光源ボックスの出射口からの出射光の照射によってサインマークが発光する構成を有し、サインマーク用光源ボックス又は取付板に交換可能に取り付けられているようにしてもよい。
【００１２】
前記光源ユニットとは別に、サインマーク用光源と足元照明用光源とに給電する電源装置として、太陽電池と、太陽電池で発電した電力を充電する蓄電体とを備えていることが望ましい。
【００１３】
前記光源ユニットは、さらに、垂直ポールや横長ビームに設置できるように、垂直ポール用止め具と、横長ビーム用止め具とを備えていることが望ましい。
【００１４】
前記光源ユニットにおけるサイン板の高さを変更できる構成とすることができる。
【００１５】
避難場所へ誘導するように避難路に沿って適所間隔に設置されることが望ましい。
【考案の効果】
【００１６】
本考案のサインマーク表示灯によれば、サインマークを発光させるとともにその設置場所での道の路面を明るく照らすことができる。従って、夜間に、地震、津波、火災等の災害が発生した場合や火災の煙が漂っている場合であっても、避難者は、サインマークを明確に認識することができ、尚且つサインマーク表示灯の設置場所の道をも明確に認識することができる。よって、避難者は、困惑したり迷ったりすることなく安心して、安全に且つ迅速に避難場所へと避難することができる。
【００１７】
さらに、光源ユニットとして、サイン板、サインマーク用光源ボックス、及び足元照明用光源ボックスを同一の取付板に設けた一体型に構成するので、所望の道に簡単に且つ短時間に設置することができる。
【図面の簡単な説明】
【００１８】
【図１】実施形態によるサンマーク表示灯を示す外観構成図である。
【図２】サインマーク表示灯の光源ユニットを示す正面斜視図である。
【図３】サインマーク表示灯の光源ユニットを示す断面図である。
【図４】サインマーク表示灯の光源ユニットを示す背面斜視図である。
【考案を実施するための形態】
【００１９】
以下に、本考案の実施形態について添付図面を参照しながら説明する。
図１に示すように、サインマーク表示灯１は、屋外の人が歩く道の端に立設した垂直ポールＨ又は防護柵等の横長ビームに設置され、夜間に、サインマークＭを発光させるとともにその設置場所での道の路面を明るく照らすようにしたものである。ここで、「人が歩く道」には、一般の歩道のみならず、階段状の道、山道等も含めて人が歩くことができる道を含む。本実施形態の場合では、人が歩く道として避難場所までの避難路が該当し、本サインマーク表示灯１は、避難路に沿って適所間隔に設置される。なお、実施形態のサインマーク表示灯１は、災害時に避難者を避難場所へと誘導するための避難表示灯として使用されるが、これに限らず、サインマークＭを目的に応じて変更することにより防犯灯等の様々な目的に使用することができる。
【００２０】
図２〜４をも参照して、サインマーク表示灯１の主な構成として、サイン板３、サインマーク用光源ボックス４、及び足元照明用光源ボックス５を、横長長方形状の取付板６の上面側に設けた一体型の光源ユニット２と、光源ユニット２に電力供給を行う電源装置８と、光源ユニット２及び電源装置８を制御する制御装置９とを備えている。
【００２１】
光源ユニット２の取付板６は、透明アクリル板で形成されて下面を足元照明用光源５１からの光の照射面とする。そして、光源ユニット２は、取付板６の下面が前方斜め下方向を向くように傾けて設置され、足元照明用光源５１からの照射光によってサインマーク表示灯１の設置場所での道の路面を明るく照らすようにしている。なお、取付板６は、透明アクリル板に限らず、透明又は半透明のプラスチック板を使用することができ、また無色でも着色されたものでもよい。
【００２２】
サイン板３は、サインマークＭが付された四角形状の導光板により形成されている。サインマークＭは、災害時に避難方向を示すピクトマークが用いられているが、これに限らず、図形、文字、矢印、地図等の各表示を単独又は任意に組み合わせたものとすることができる。サイン板３を形成する導光板は、アクリル板等の光が透光可能な透明又は半透明のプラスチック板により形成されている。サインマークＭは、この導光板の表面又は裏面に発光材料を印刷等して形成されている。そして、サイン板３は、サインマーク用光源ボックス４の上面部に上方へ延びるように取り付けられ、下端面からサインマーク用光源４１の光が入射されることによってサインマークＭが発光される。これにより、夜間でも避難者にサインマークＭを明確に認識させることができる。
【００２３】
なお、サインマークＭの種類は、ピクトマークのような避難表示に限らず、防犯表示等のように使用目的に応じた様々な表示とすることができる。また、サイン板３は、サインマーク用光源ボックス４に対してネジ３１等で交換可能に取り付けられている。これにより、設置高さ、周辺環境、使用目的等に応じて、所望のサイン板３を簡易に設置することができる。
【００２４】
サインマーク用光源ボックス４は、薄型箱状に形成され、取付板６の最前列位置にパッキンｓ１を介して取り付けられている。サインマーク用光源ボックス４は、傾けて設置される取付板６に対して略鉛直方向に延びるように斜めに取り付けられている。サインマーク用光源ボックス４の内部には、サインマーク用光源４１が設けられている。サインマーク用光源４１は、複数のチップ型ＬＥＤ（発光ダイオード）を一例に形成したＬＥＤ基板により構成され、上向きに光を出射するようにサインマーク用光源ボックス４内に取り付けられている。なお、サインマーク用光源４１のＬＥＤは、上記チップ型に限らず、砲弾型等のＬＥＤを使用することができ、また単色発光型のみならず多色発光型のＬＥＤを使用してもよい。サインマーク用光源ボックス４の上面には、サインマーク用光源４１の光を出射する出射口４２が開口形成され、この出射口４２にサイン板３の下端面が対向するように配置されている。
【００２５】
なお、光源ユニット２におけるサイン板３の高さを変更可能とすることができる。これにより、光源ユニット２の設置高さが様々であっても、避難者にとってサイン板３を見えやすい高さに設定することができる。このようなサイン板３の高さ変更方法として、例えば、サイン板３及びサインマーク用光源ボックス４として標準サイズと縦長サイズとを製作して、それぞれを適宜に組み合わせることでサイン板３の高さを設定できるようにすることでもよい。また、サインマーク用光源ボックス４の下部に取り付け可能な脚部材を別に用意して、この脚部材によってサインマーク用光源ボックス４の高さを変更することでサイン板３の高さを設定することでもよいし、さらに、サインマーク用光源ボックス４を二重筒構造にして伸長可能な構成とすることでサインマーク用光源ボックス４に取り付けたサイン板３の高さを調整することでもよい。
【００２６】
なお、サインマーク用光源ボックス４は、サイン板３を嵌め込む枠型に形成して枠型の内側を出射口４２とし、この出射口４２の後部にサインマーク用光源４１を配設して、このサインマーク用光源４１の光をサイン板３の端面から入射してサインマークＭを発光させる構成としてもよい。また、サインマーク用光源ボックス４は、サイン板３を嵌め込む正面が開口した箱型に形成して箱型の内部の背面にサインマーク用光源４１を配設して、このサインマーク用光源４１からの背面光によってサイン板３のサインマークＭを発光させる構成としてもよい。
【００２７】
さらに、サインマーク用光源ボックス４は、サインマーク用光源４１を内蔵して上部に出射口４２を形成した背の低い構造とし、この出射口４２の後部又はサインマーク用光源ボックス４の後方の取付板６に反射板で形成したサイン板３を交換可能に取り付け、サインマーク用光源ボックス４から出射されたサインマーク用光源４１の光をサイン板３の正面に照射してサインマークＭを発光させる構成としてもよい。
【００２８】
足元照明用光源ボックス５は、横長箱状に形成され、取付板６に対してサインマーク用光源ボックス４の後側位置にパッキンｓ２を介して横長に取り付けられている。足元照明用光源５１の内部には、足元照明用光源５１が横長方向に延在して設けられている。足元照明用光源５１は、複数のチップ型ＬＥＤ（発光ダイオード）を一列に形成したＬＥＤ基板により構成され、下向きに光を出射するように足元照明用光源ボックス５内に取り付けられている。なお、足元照明用光源５１のＬＥＤは、上記チップ型に限らず、砲弾型等のＬＥＤを使用することができ、また単色発光型のみならず多色発光型のＬＥＤを使用してもよい。足元照明用光源ボックス５は、取付板６との取付け面となる底面に足元照明用光源５１の光を出射する出射口５２が開口形成されている。従って、足元照明用光源５１の光は、足元照明用光源ボックス５の底面の出射口５２から出射され、透明又は半透明の取付板６を透過して、傾けて設置した取付板６の下面から前方斜め下方向の道の路面を明るく照らすことができる。足元照明用光源５１は、横長に配設されているから、道の進行方向に沿って比較的に広く路面を照らすことができる。なお、本実施形態では、足元照明用光源ボックス５は、左右に２つ並べて複数設けているが、１つだけでもいし、左右に３つ以上の複数個を並べて設けてもよいし、また前後に複数例に並べて設けるようにしてもよい。また、足元照明用光源ボックス５の形状は、横長のものに限らず、正方形、円形、楕円形等の種々の形のものを使用することができる。
【００２９】
また、足元照明用光源５１は、出射光の向きを左右又は前後の方向、あるいは前後左右の方向に角度調整可能に設けることができる。これにより、光源ユニット２の設置位置と路面との間の距離や高さ等に応じて確実に路面を明るく照らすように設定することができる。このような角度調整手段として、例えば、所定の角度調整部材を介在させて足元照明用光源５１となるＬＥＤ基板を足元照明用光源ボックス５に取り付けることでもよいし、また足元照明用光源ボックス５において足元照明用光源５１の取り付け台を回動させる角度調整機構を設けること等でもよい。
【００３０】
光源ユニット２は、さらに、垂直ポールＨや横長ビームに設置できるように、垂直ポール用止め具７１と、横長ビーム用止め具７２とを備えている。垂直ポール用止め具７１は、光源ユニット２の中央部に配置されるように足元照明用光源ボックス５の背面側に配設されており、垂直ポールＨに巻き付けて固定するための締結バンド７を横方向に通す挿通部を形成したコ字形の部材で構成されている。この垂直ポール用止め具７１は、取付板６に後付けで取り付けられるが、足元照明用光源ボックス５の背面に一体形成されてもよい。横長ビーム用止め具７２は、光源ユニット２の両端付近に配置されるように左右の足元照明用光源ボックス５の背面にそれぞれ設けられており、横長ビームに巻き付けて固定するための締結バンドを縦方向に通す挿通部を形成したコ字形の部材で構成されている。この横長ビーム用止め具７２は、足元照明用光源ボックス５の背面に一体形成されているが、取付板６に設けるようにしてもよい。
【００３１】
このように、光源ユニット２に予め垂直ポール用止め具７１と横長ビーム用止め具７２とを設けることにより、新たな支柱を施工することなく、既設の様々な垂直ポールＨや、防護柵、手すり等の横長ビームに対して光源ユニット２を簡単に取り付けることができる。その結果、本サインマーク用表示灯１を簡易に且つ迅速に設置することができ、また設置コストを低減することができる。また、例えば、避難場所への避難路となる道であって普段はあまり人が通らない様々な道、山道、階段状の道等において、各種の案内標示板、防護柵、手すり等が設置されている場合がある。従って、これら案内標示板の支柱や手すり等の既設のものに光源ユニット２を取り付けることで本サインマーク表示灯１を避難路に沿って適所間隔に簡単に且つ低コストに設置することができる。しかも、本サインマーク表示灯１では、サインマークＭの発光のみならず、道の路面をも明るく照らすので、避難者は、夜間であっても道の状態を明確に認識することができ、安心して避難場所に向かって移動することができる。
【００３２】
電源装置８は、太陽電池モジュール８１及び蓄電体８２を備える太陽電池利用のものが使用される。この電源装置８は、電源ケース８０を備え、垂直ポールＨに締結バンド７０によって光源ユニット２の上方に取り付けられている。なお、電源装置８と光源ユニット２は、図示しないが電気的に配線接続されている。太陽電池モジュール８１は、太陽光を受光して発電を行うセルを複数添設したパネル板状の装置であり、受光面が太陽に向かうように設置される。この太陽電池モジュール８１は、電源ケース８０の上部に設置されている。蓄電体８２は、太陽電池モジュール８１により発電された電力を蓄える装置であり、充電した電力が光源ユニット２のサインマーク用光源４１及び足元照明用光源５１、さらに制御装置９に供給される。蓄電体８２として、例えば、バッテリー等の二次電池や電気二重層コンデンサー等が使用される。この蓄電体８２は、電源ケース８０内に配設されている。
【００３３】
制御装置９は、蓄電体８２の充電状態を監視するとともに、夜間にサインマーク用光源４１及び足元照明用光源５１を点灯させるように制御する。この制御装置９は、回路基板等によって構成され、電源ケース８０内に格納されている。制御装置９において、夜間か否かの判別は、例えば、タイマーや時計を内蔵して時間管理により夜間判別を行うことでもよいし、日照量を検知するセンサを設けて夜間判別を行うことでもよい。なお、制御装置９は、昼間でも地震、津波、火災等の災害が発生したときには、サインマーク用光源４１及び足元照明用光源５１を点灯させるように制御してもよい。この場合、災害発生の判別は、例えば、受信機を内蔵して災害情報信号の受信により判別することでもよい。
【００３４】
なお、電源装置８は、太陽電池と商用電源とを併用するものでもよいし、商用電源だけで構成するものでもよいし、また、商用電源と蓄電体８２とを備えて常時は商用電源を使用し停電時には蓄電体８２の使用に切り換えるものでもよい。太陽電池と商用電源とを併用する場合、制御装置９は、蓄電体８２の充電量が不十分なときだけ商用電源に切り換える構成とすることができる。
【００３５】
以上の構成のサインマーク表示灯１によれば、夜間には、サインマークＭを発光させるとともにその設置場所での道の路面を明るく照らすことができる。従って、夜間に、地震、津波、火災等の災害が発生した場合や火災の煙が漂っている場合であっても、避難者は、サインマークＭを明確に認識することができ、尚且つサインマーク表示灯１の設置場所の道をも明確に認識することができる。よって、避難者は、困惑したり迷ったりすることなく安心して、安全に且つ迅速に避難場所へと避難することができる。
【００３６】
また、本サインマーク表示灯１では、光源ユニット２として、サイン板３、サインマーク用光源ボックス４、及び足元照明用光源ボックス５を同一の取付板６の上面側に設けた一体型に構成するので、所望の道に簡単に且つ短時間に設置することができる。そして、光源ユニット２には、予め垂直ポール用止め具７１と横長ビーム用止め具７２とが設けられているので、新たな支柱を施工することなく、既設の様々な垂直ポールＨや、防護柵、手すり等の横長ビームに対して光源ユニット２を簡単に取り付けることができるから、設置コストを低減することができる。
また、電源装置８に太陽電池を用いることにより自然エネルギーの活用により電力コストを低減することができる。
【００３７】
本考案は、以上の実施形態のみに限定されず、本考案の要旨の範囲内で変更を施すことが可能である。
例えば、光源ユニット２として、取付板６の上面側にサイン板３、サインマーク用光源ボックス４及び足元照明用光源ボックス５を設けるが、サイン板３、サインマーク用光源ボックス４及び足元照明用光源ボックス５の全部又は一部を取付板６の下面側に設けることでもよい。
なお、足元照明用光源ボックス５を取付板６の下面側に設ける場合は、取付板６を任意の向きに設置してもよい。例えば、取付板６を水平方向に向けて設置することができ、この場合、足元照明用光源ボックス５は、取付板６に対して足元照明用光源５１からの照射光が本サインマーク表示灯１の設置場所での道の路面を照らすように設けるようにすればよい。また、足元照明用光源ボックス５を取付板６の下面側に設ける場合は、足元照明用光源５１の照射光は、取付板６を透過させる必要がないので、取付板６は不透明板であってもよい。
【符号の説明】
【００３８】
１  サインマーク表示灯
２  光源ユニット
３  サイン板
４  サインマーク用光源ボックス
５  足元照明用光源ボックス
６  取付板
７  締結バンド
８  電源装置
９  制御装置
３１  ネジ
４１  サインマーク用光源
４２  出射口
５１  足元照明用光源
５２  出射口
７０  締結バンド
７１  垂直ポール用止め具
７２  横長ビーム用止め具
８０  電源ケース
８１  太陽電池モジュール
８２  蓄電体
Ｈ  垂直ポール
Ｍ  サインマーク
ｓ１  パッキン
ｓ２  パッキン
【図１】
0003193713.tif 000003
【図２】
0003193713.tif 000004
【図３】
0003193713.tif 000005
【図４】
0003193713.tif 000006